(57)【要約】【課題】フィルタの取り付けおよび取り外しを、より容易に行うことのできる電源装置を提供する。【解決手段】電源装置は、筐体と、前記筐体の内部に設けられるフィルタセットとを備える電源装置であって、前記フィルタセットは、前記筐体内における空気の流路に設けられるフィルタと、前記フィルタを挟んで固定する２つの板部材とを含み、前記電源装置は、さらに、前記フィルタセットを、前記筐体の開口部から前記筐体の内部へガイドして保持するためのレール部材を備える。【選択図】図４
2019003865.tif 000002
【特許請求の範囲】
【請求項１】
筐体と、
前記筐体の内部に設けられるフィルタセットとを備える電源装置であって、
前記フィルタセットは、
前記筐体内における空気の流路に設けられるフィルタと、
前記フィルタを挟んで固定する２つの板部材とを含み、
前記電源装置は、さらに、
前記フィルタセットを、前記筐体の開口部から前記筐体の内部へガイドして保持するためのレール部材を備える、電源装置。
【請求項２】
前記レール部材は、前記フィルタセットを、自己の取り付けられる部材側へ付勢する付勢部を含む、請求項１に記載の電源装置。
【請求項３】
前記電源装置は、さらに、
電池の載置される載置部を備え、
前記フィルタセットは、前記載置部の下側に設けられる複数の前記フィルタを含み、
前記電源装置は、さらに、
前記載置部を支持し、前記複数のフィルタの間に設けられる支持部材を備える、請求項１または請求項２に記載の電源装置。
【請求項４】
前記フィルタセットは、前記フィルタおよび前記２つの板部材の組を２組含み、
前記２つの板部材は、
第１の板部材と、
第２の板部材とを有し、
各前記組の各々の前記第１の板部材、および前記各組の各々の前記第２の板部材のうちの少なくともいずれか一方は、共通の部材である、請求項１または請求項２に記載の電源装置。
【発明の詳細な説明】
【技術分野】
【０００１】
本発明は、電源装置に関する。
【背景技術】
【０００２】
一般に、電源装置では、外部から流入する空気中の埃などを除去するため、エアフィルタが設けられる。たとえば、特許文献１（特開２００４−１２３０４６号公報）には、エアフィルタを備える電源パッケージが開示されている。すなわち、電源パッケージは、車両の各電気部品に給電を行うための車両電源システム用の電源パッケージであって、給電を行うための電源部品のうち少なくとも一つと、エアフィルタとをパッケージケース内に組込み、前記パッケージケース内に、外部より導入されるエアを前記エアフィルタにより濾過して車両の内燃機関に供給するためのエア流路が形成されている。
【先行技術文献】
【非特許文献】
【０００３】
【特許文献１】特開２００４−１２３０４６号公報
【発明の概要】
【発明が解決しようとする課題】
【０００４】
特許文献１に記載の構成のように、フィルタが電源装置の内部に設けられる場合、フィルタの取り付け時または取り外し時において、作業者は、電源装置の内部に手を入れて作業を行う必要がある。フィルタの取り付けおよび取り外しを、より容易に行うことのできる電源装置が望まれている。
【０００５】
この発明は、上述の課題を解決するためになされたもので、その目的は、フィルタの取り付けおよび取り外しを、より容易に行うことのできる電源装置を提供することである。
【課題を解決するための手段】
【０００６】
（１）上記課題を解決するために、この発明のある局面に係わる電源装置は、筐体と、前記筐体の内部に設けられるフィルタセットとを備える電源装置であって、前記フィルタセットは、前記筐体内における空気の流路に設けられるフィルタと、前記フィルタを挟んで固定する２つの板部材とを含み、前記電源装置は、さらに、前記フィルタセットを、前記筐体の開口部から前記筐体の内部へガイドして保持するためのレール部材を備える。
【発明の効果】
【０００７】
本発明によれば、フィルタの取り付けおよび取り外しを、より容易に行うことができる。
【図面の簡単な説明】
【０００８】
【図１】図１は、本発明の第１の実施の形態に係る電源装置の構成を示す斜視図である。
【図２】図２は、比較例に係る電源装置の構成を示す分解斜視図である。
【図３】図３は、図２に示すフィルタ部の詳細な構成を示す分解図である。
【図４】図４は、本発明の第１の実施の形態に係る電源装置の構成を示す分解斜視図である。
【図５】図５は、図４に示すフィルタ部の詳細な構成を示す分解図である。
【図６】図６は、図４に示すＶＩ−ＶＩ線に沿った断面を示す断面図である。
【図７】図７は、本発明の第１の実施の形態に係る電源装置を、図４に示す矢印Ｐ１の方向から見た平面図である。
【図８】図８は、図７に示すＶＩＩＩ−ＶＩＩＩ線に沿った断面を示す断面図である。
【図９】図９は、図７に示すＩＸ−ＩＸ線に沿った断面を示す断面図である。
【図１０】図１０は、本発明の第２の実施の形態に係る電源装置の構成を示す分解斜視図である。
【図１１】図１１は、図１０に示すフィルタセットの詳細な構成を示す分解図である。
【図１２】図１２は、図１０に示すＸＩＩ−ＸＩＩ線に沿った断面を示す断面図である。
【図１３】図１３は、本発明の第２の実施の形態に係る電源装置を、図１０に示す矢印Ｐ２の方向から見た平面図である。
【図１４】図１４は、図１３に示すＸＩＶ−ＸＩＶ線に沿った断面を示す断面図である。
【図１５】図１５は、本発明の第２の実施の形態に係るフィルタセットが組み立てられた状態を、図１０の矢印Ｐ３に示す方向から見た下面図である。
【図１６】図１６は、図１５に示すケース部に対する押さえ部の位置が正しくない状態の例１を示す下面図である。
【図１７】図１７は、図１５に示すケース部に対する押さえ部の位置が正しくない状態の例２を示す下面図である。
【発明を実施するための形態】
【０００９】
最初に、本発明の実施形態の内容を列記して説明する。
【００１０】
（１）本発明の実施の形態に係る電源装置は、筐体と、前記筐体の内部に設けられるフィルタセットとを備える電源装置であって、前記フィルタセットは、前記筐体内における空気の流路に設けられるフィルタと、前記フィルタを挟んで固定する２つの板部材とを含み、前記電源装置は、さらに、前記フィルタセットを、前記筐体の開口部から前記筐体の内部へガイドして保持するためのレール部材を備える。
【００１１】
このような構成により、筐体の外部で組み立てたフィルタセットをレール部材に沿ってスライドさせることで、フィルタセットを筐体の内部に取り付けることができる。また、筐体の内部に取り付けられたフィルタセットをレール部材に沿ってスライドさせることで、フィルタセットを筐体から取り外すことができる。したがって、フィルタの取り付けおよび取り外しを、より容易に行うことができる。
【００１２】
すなわち、電源装置の製造時においてレール部材を筐体内に取り付けておくことにより、その後のフィルタの交換が頻繁に行われるような場合でも、２つの板部材によりフィルタを安定して固定した状態で、フィルタの取り付けおよび取り外しを容易に行うことができる。このため、フィルタの交換作業を容易に行うことができる。
【００１３】
（２）好ましくは、前記レール部材は、前記フィルタセットを、自己の取り付けられる部材側へ付勢する付勢部を含む。
【００１４】
このような構成により、フィルタセットとレール部材の取り付けられる部材との間にすき間ができることを防ぎ、筐体の外部から内部へ流入する空気がより確実にフィルタを通過する電源装置を実現することができる。また、フィルタセットと付勢部との接触部分が、フィルタセットとレール部材との摺動面となるため、摺動面積を少なくすることができ、フィルタセットとレール部材との間の摩擦、および摺動による音を軽減させることができる。
【００１５】
（３）好ましくは、前記電源装置は、さらに、電池の載置される載置部を備え、前記フィルタセットは、前記載置部の下側に設けられる複数の前記フィルタを含み、前記電源装置は、さらに、前記載置部を支持し、前記複数のフィルタの間に設けられる支持部材を備える。
【００１６】
このような構成により、複数のフィルタの間のスペースを有効に活用しながら、電池の重みによって載置部が下側へ撓むことを防ぐことができる。
【００１７】
（４）好ましくは、前記フィルタセットは、前記フィルタおよび前記２つの板部材の組を２組含み、前記２つの板部材は、第１の板部材と、第２の板部材とを有し、各前記組の各々の前記第１の板部材、および前記各組の各々の前記第２の板部材のうちの少なくともいずれか一方は、共通の部材である。
【００１８】
このような構成により、フィルタセットの部品点数を少なくすることができるため、フィルタの取り付けおよび取り外しを、より一層容易に行うことができる。
【００１９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２０】
＜第１の実施の形態＞
［全体構成］
図１は、本発明の第１の実施の形態に係る電源装置の構成を示す斜視図である。
【００２１】
図１を参照して、電源装置２０１は、内部に電池などを収容する筐体１０を備える。筐体１０は、天板１１と、２つの側板１２，１３と、前板１４と、後板１５と、床板１６とを含む。側板１２および前板１４には、それぞれ、通気口２１，２２が設けられている。側板１３には、側板１２と同様に、図示しない通気口が設けられている。
【００２２】
また、電源装置２０１は、たとえば、筐体１０の内部に設けられる図示しない給気ファンを備え、給気ファンが動作することにより、矢印Ｗで示すように、筐体１０の外部から側板１２，１３における通気口２１を経由して筐体１０の内部へ空気が流入する。そして、筐体１０の内部へ流入した空気は、前板１４における通気口２２を経由して筐体１０の外部へ流出する。
【００２３】
また、電源装置２０１は、空気中の埃などを除去するためのフィルタセット３０を備える。フィルタセット３０は、２つのフィルタ部３１，３２を含む。フィルタ部３１は、側板１２における通気口２１の付近であって、筐体１０の内部における空気の流路に設けられる。フィルタ部３２は、側板１３における通気口の付近であって、筐体１０の内部における空気の流路に設けられる。以下、フィルタセット３０の構成について説明する。
【００２４】
［フィルタセットの比較例］
まず、フィルタセット３０の比較例について説明する。図２は、比較例に係る電源装置の構成を示す分解斜視図である。
【００２５】
図２を参照して、比較例に係る電源装置３０１は、図１に示す電源装置２０１と同様に、筐体１１０と、フィルタセット１３０とを備える。フィルタセット１３０は、２つのフィルタ部１３１，１３２を含む。筐体１１０は、図１に示す電源装置２０１における筐体１０と同様に、天板１１１と、側板１１２，１１３と、前板１１４と、後板１１５と、床板１１６とを含む。
【００２６】
前板１１４は、パネル上部１１４ａと、パネル上部１１４ａに対して着脱可能なパネル下部１１４ｂとを有する。また、筐体１１０には、パネル下部１１４ｂをパネル上部１１４ａから取り外した状態において、筐体１１０の内部と外部とを繋ぐ開口部１１９が設けられている。
【００２７】
図３は、図２に示すフィルタ部の詳細な構成を示す分解図である。図３では、フィルタ部１３２の構成を示している。
【００２８】
図３を参照して、フィルタ部１３２は、エアフィルタ１４１と、ローレットネジ１４２と、エアフィルタ１４１が装着されるフィルタ枠１４３とを含む。
【００２９】
フィルタ枠１４３は、装着部１４４と、固定部１４５とを有する。装着部１４４は、格子状に設けられた複数の板部１４４ａを有する。固定部１４５には、ローレットネジ１４２を挿入可能な孔１４５ａが形成されている。
【００３０】
なお、図２に示すフィルタ部１３１の構成は、図３に示すフィルタ部１３２の構成と同様である。
【００３１】
再び図２を参照して、筐体１１０にフィルタセット１３０を取り付ける場合、作業者は、まず、図３に示すエアフィルタ１４１をフィルタ枠１４３における装着部１４４に装着する。そして、作業者は、パネル上部１１４ａからパネル下部１１４ｂを取り外し、フィルタ部１３２、すなわちエアフィルタ１４１およびフィルタ枠１４３を、開口部１１９から筐体１１０の内部へ挿入する。
【００３２】
そして、作業者は、筐体１１０の内部において、図示しない板金にフィルタ部１３２を当接させた状態を手で維持しながら、固定部１４５に形成された孔１４５ａにローレットネジ１４２を挿入する。これにより、フィルタ部１３２を筐体１１０に対して固定することができる。また、作業者は、フィルタ部１３１についても同様の作業を行う。
【００３３】
そして、作業者は、パネル下部１１４ｂをパネル上部１１４ａに装着する。これにより、フィルタセット１３０の筐体１１０への取り付けが完了する。
【００３４】
また、筐体１１０からフィルタセット１３０を取り外す場合、作業者は、パネル上部１１４ａからパネル下部１１４ｂを取り外し、開口部１１９から筐体１１０の内部へ手を入れて、ローレットネジ１４２を孔１４５ａから取り外す。そして、作業者は、フィルタ部１３１，１３２を筐体１１０の内部から抜き出す。
【００３５】
以上のような電源装置３０１では、フィルタセット１３０の取り付けまたは取り外しを行う際、作業者は筐体１１０の内部に手を入れた状態で作業する必要があり、作業が煩雑であるという問題があった。このため、より容易な作業により、フィルタセットの取り付けおよび取り外しを行うことのできる電源装置が望まれている。以下、本発明の実施の形態に係る電源装置２０１のフィルタセット３０の構成について説明する。
【００３６】
［本発明の第１の実施の形態に係るフィルタセット］
図４は、本発明の第１の実施の形態に係る電源装置の構成を示す分解斜視図である。
【００３７】
図４を参照して、電源装置２０１における前板１４は、パネル上部１４ａと、パネル上部１４ａに対して着脱可能なパネル下部１４ｂとを有する。筐体１０には、パネル下部１４ｂをパネル上部１４ａから取り外した状態において、筐体１０の内部と外部とを繋ぐ開口部１９が設けられている。
【００３８】
電源装置２０１は、さらに、筐体１０の内部において電池が載置される板状の載置部１７と、載置部１７の下側に設けられた図示しないレール部材とを備える。フィルタセット３０におけるフィルタ部３１，３２は、当該レール部材に沿ってスライドされることにより、筐体１０に対して挿抜される。
【００３９】
図５は、図４に示すフィルタ部の詳細な構成を示す分解図である。図５では、フィルタ部３１の構成を示している。
【００４０】
図５を参照して、フィルタ部３１は、エアフィルタ４１と、ケース部（板部材）４２と、押さえ部（板部材）４３とを含む。ケース部４２は、格子状に設けられた複数の板部４２ａを有する。
【００４１】
押さえ部４３は、格子状に設けられた複数の板部４３ａと、自己の長手方向における端部に設けられた、つまみ部４３ｂとを有する。
【００４２】
図６は、図４に示すＶＩ−ＶＩ線に沿った断面を示す断面図である。
【００４３】
図６に示すように、フィルタ部３１が組み立てられた状態において、ケース部４２と押さえ部４３との間にエアフィルタ４１が挟まれる。より詳細には、ケース部４２は、自己の短手方向の両端において、下方向へ突出する突出部４７を有する。押さえ部４３は、自己の短手方向の両端において、上方向へ突出する突出部４８を有する。
【００４４】
ケース部４２における突出部４７には、凹部４７ａが形成されている。押さえ部４３における突出部４８には、凹部４７ａに係合可能な凸部４８ａが設けられている。また、押さえ部４３の外形がケース部４２の内形よりもわずかに小さく形成されている。
【００４５】
このような構成により、ケース部４２の内部に、エアフィルタ４１および押さえ部４３を収容することができる。また、上述のように、ケース部４２の両端が下方向へ突出しており、エアフィルタ４１および押さえ部４３の上側を蓋するようにケース部４２が設けられる構成により、フィルタ部３１，３２の内部に水などが浸入することを防ぐことができる。
【００４６】
また、ケース部４２の内部に押さえ部４３を収容する際、ケース部４２における凹部４７ａに、押さえ部４３における凸部４８ａが係合する。これにより、フィルタ部３１が組み立てられた状態が維持される。
【００４７】
なお、エアフィルタ４１およびケース部４２が押さえ部４３の内部に収容可能に形成されてもよい。すなわち、押さえ部４３の内形がケース部４２の外形より大きく形成されてもよい。また、ケース部４２の内部に収容されるエアフィルタ４１は１つに限らず、複数であってもよい。
【００４８】
また、図４に示すフィルタ部３２の構成は、図５および図６に示すフィルタ部３１の構成と同様である。
【００４９】
再び図４および図５を参照して、筐体１０にフィルタセット３０を取り付ける場合、作業者は、まず、ケース部４２と押さえ部４３との間にエアフィルタ４１を挟み、フィルタ部３１を組み立てる。そして、作業者は、パネル上部１４ａからパネル下部１４ｂを取り外し、押さえ部４３におけるつまみ部４３ｂをつまみ、開口部１９から筐体１０の内部へ、図示しないレール部材に沿ってフィルタ部３１をスライドさせる。
【００５０】
また、作業者は、フィルタ部３２についても同様の作業を行う。そして、作業者は、パネル下部１４ｂをパネル上部１４ａに装着する。これにより、フィルタセット３０の筐体１０への取り付けが完了する。
【００５１】
また、筐体１０からフィルタセット３０を取り外す場合、作業者は、パネル上部１４ａからパネル下部１４ｂを取り外し、つまみ部４３ｂをつまみ、フィルタ部３１，３２をスライドさせることにより筐体１０の内部から抜き出す。
【００５２】
［レール部材］
図７は、本発明の第１の実施の形態に係る電源装置を、図４に示す矢印Ｐ１の方向から見た平面図である。図８は、図７に示すＶＩＩＩ−ＶＩＩＩ線に沿った断面を示す断面図である。すなわち、図８では、電源装置２０１を前板１４から後板１５への方向に見た場合の断面を示している。
【００５３】
図７および図８を参照して、電源装置２０１は、上述のとおり、電池が載置される載置部１７と、載置部１７の下側に設けられるレール部材５１，５２，５３，５４とを備える。
【００５４】
レール部材５２，５３は、載置部１７の中央へ向かって昇段するような階段形状を有する。また、レール部材５１，５４は、載置部１７の中央から外部へ向かって昇段するような階段形状を有する。
【００５５】
そして、載置部１７、レール部材５１、およびレール部材５２により形成される空間に、フィルタ部３１が挿入される。また、載置部１７、レール部材５３、およびレール部材５４により形成される空間に、フィルタ部３２が挿入される。
【００５６】
また、電源装置２０１は、載置部１７の下側であって、フィルタ部３１およびフィルタ部３２の間に設けられる支持部材１８を備える。支持部材１８は、たとえば板形状を有し、電池などの重みによって載置部１７が下側へ撓むことを防ぐ。なお、電源装置２０１は、支持部材１８を備えない構成であってもよい。
【００５７】
図９は、図７に示すＩＸ−ＩＸ線に沿った断面を示す断面図である。図９では、電源装置２０１を側板１２から側板１３への方向に見た場合における、レール部材５１の断面を示している。
【００５８】
図９を参照して、レール部材５１は、自己の取り付けられる載置部１７側へフィルタ部３１を付勢する２つの付勢部５１ａを含む。付勢部５１ａは、２つに限らず、１つ、または３つ以上であってもよい。
【００５９】
より詳細には、レール部材５１は、たとえば、自己の一部が載置部１７側へ突出するように屈曲しており、載置部１７側への突出部分が付勢部５１ａに相当する。そして、フィルタ部３１をレール部材５１に沿ってスライドさせる場合、フィルタ部３１における押さえ部４３が、レール部材５１における付勢部５１ａに面接触しながら、レール部材５１に沿って移動する。
【００６０】
レール部材５２，５３，５４の構成は、図９に示すレール部材５１の構成と同様である。
【００６１】
なお、レール部材５１，５２，５３，５４は、上述のような付勢部５１ａを含まない構成であってもよい。
【００６２】
ところで、特許文献１に記載の構成のように、エアフィルタが電源装置の内部に設けられる場合、エアフィルタの取り付け時または取り外し時において、作業者は、電源装置の内部に手を入れて作業を行う必要がある。エアフィルタの取り付けおよび取り外しを、より容易に行うことのできる電源装置が望まれている。
【００６３】
これに対して、本発明の第１の実施の形態に係る電源装置２０１では、筐体１０の内部に設けられるフィルタセット３０が、筐体１０内における空気の流路に設けられるエアフィルタ４１と、ケース部４２と、押さえ部４３とを含む。ケース部４２および押さえ部４３は、エアフィルタ４１を挟んで固定する。レール部材５１，５２，５３，５４は、フィルタセット３０を、筐体１０の開口部１９から筐体１０の内部へガイドして保持する。
【００６４】
このような構成により、筐体１０の外部で組み立てたフィルタセット３０をレール部材５１，５２，５３，５４に沿ってスライドさせることで、フィルタセット３０を筐体１０の内部に取り付けることができる。また、筐体１０の内部に取り付けられたフィルタセット３０をレール部材５１，５２，５３，５４に沿ってスライドさせることで、フィルタセット３０を筐体１０から取り外すことができる。したがって、エアフィルタ４１の取り付けおよび取り外しを、より容易に行うことができる。
【００６５】
すなわち、電源装置２０１の製造時においてレール部材５１，５２，５３，５４を筐体１０内に取り付けておくことにより、その後のエアフィルタ４１の交換が頻繁に行われるような場合でも、ケース部４２および押さえ部４３によりエアフィルタ４１を安定して固定した状態で、エアフィルタ４１の取り付けおよび取り外しを容易に行うことができる。このため、エアフィルタ４１の交換作業を容易に行うことができる。
【００６６】
また、本発明の第１の実施の形態に係る電源装置２０１では、レール部材５１，５２，５３，５４が、フィルタセット３０を、自己の取り付けられる部材である載置部１７側へ付勢する付勢部５１ａを含む。
【００６７】
このような構成により、フィルタセット３０と載置部１７との間にすき間ができることを防ぎ、筐体１０の外部から内部へ流入する空気がより確実にエアフィルタ４１を通過する電源装置２０１を実現することができる。また、フィルタセット３０と付勢部５１ａとの接触部分が、フィルタセット３０とレール部材５１，５２，５３，５４との摺動面となるため、摺動面積を少なくすることができ、フィルタセット３０とレール部材５１，５２，５３，５４との間の摩擦、および摺動による音を軽減させることができる。
【００６８】
また、本発明の第１の実施の形態に係る電源装置２０１では、フィルタセット３０における２つのエアフィルタ４１は、電池の載置される載置部１７の下側に設けられる。そして、２つのエアフィルタ４１の間に、載置部１７を支持する支持部材１８が設けられる。
【００６９】
このような構成により、２つのエアフィルタ４１の間のスペースを有効に活用しながら、電池の重みによって載置部１７が下側へ撓むことを防ぐことができる。
【００７０】
次に、本発明の他の実施の形態について図面を用いて説明する。なお、図中同一または相当部分には同一符号を付してその説明は繰り返さない。
【００７１】
＜第２の実施の形態＞
上述した本発明の第１の実施の形態では、２つのフィルタ部３１，３２が別体である。これに対して、本発明の第２の実施の形態では、２つのフィルタ部における一部の部材が共通である。ここでは、一例として、２つのケース部が共通の部材により構成される場合について説明する。
【００７２】
［全体構成］
図１０は、本発明の第２の実施の形態に係る電源装置の構成を示す分解斜視図である。
【００７３】
図１０を参照して、本発明の第２の実施の形態に係る電源装置２０２は、図４に示す本発明の第１の実施の形態に係る電源装置２０１と同様に、筐体１０と、載置部１７と、載置部１７に設けられた図示しないレール部材とを備える。また、電源装置２０２は、図４に示すフィルタセット３０の代わりに、フィルタセット７１を備える。
【００７４】
［フィルタセット］
図１１は、図１０に示すフィルタセットの詳細な構成を示す分解図である。
【００７５】
フィルタセット７１は、２つのエアフィルタ８１と、板部材８２と、２つの押さえ部（第２の板部材）８３と、２つのローレットネジ８４とを含む。
【００７６】
板部材８２は、両端部にそれぞれ設けられる２つのケース部（第１の板部材）９１と、２つのケース部９１を連結する連結部９２とを有する。ケース部９１は、格子状に設けられた複数の板部９１ａを有する。ケース部９１の構成は、図５に示すケース部４２の構成と同様である。
【００７７】
すなわち、フィルタセット７１は、エアフィルタ８１、ケース部９１、押さえ部８３、およびローレットネジ８４を有する組を、２組含む。そして、各組におけるケース部９１が板部材８２に含まれる。
【００７８】
連結部９２の長手方向の略中央であり、かつ連結部９２の短手方向の両端部に、それぞれ、ローレットネジ８４を挿入可能な孔９２ａが形成されている。また、連結部９２は、自己の長手方向の端部に設けられた、つまみ部９２ｂを有する。
【００７９】
押さえ部８３は、格子状に設けられた複数の板部８３ａと、自己の長手方向における略中央に設けられた凸部８３ｂとを有する。凸部８３ｂには、ローレットネジ８４を挿入可能な孔８３ｃが形成されている。また、押さえ部８３は、４つの角において、それぞれ、自己の長手方向に突出した４つのツメ部８３ｄを有する。
【００８０】
ケース部９１における板部９１ａ、および押さえ部８３における板部８３ａは、フィルタセット７１が組み立てられた状態において互いに重ならない位置に設けられている。このような構成により、板部材８２と押さえ部８３との間からエアフィルタ８１が外れることを抑制することができる。
【００８１】
図１２は、図１０に示すＸＩＩ−ＸＩＩ線に沿った断面を示す断面図である。図１２では、フィルタセット７１における２つのケース部９１のうち、一方のケース部９１側を示している。他方のケース部９１側の構成は、図１２に示す構成と同様である。
【００８２】
図１２に示すように、フィルタセット７１が組み立てられた状態において、板部材８２におけるケース部９１と押さえ部８３との間にエアフィルタ８１が挟まれる。より詳細には、ケース部９１は、自己の短手方向の端において、下方向へ突出する突出部９５を有する。押さえ部８３は、自己の短手方向の端であって、凸部８３ｂと反対側の端において、上方向へ突出する突出部９６を有する。
【００８３】
そして、押さえ部８３の内部にエアフィルタ８１を収容した状態で、押さえ部８３における突出部９６をケース部９１における突出部９５に当接させることにより、ケース部９１の内部に、エアフィルタ８１および押さえ部８３を収容することができる。また、板部材８２における孔９２ａ、および押さえ部８３における孔８３ｃにローレットネジ８４が挿入されることにより、フィルタセット７１が組み立てられた状態が維持される。
【００８４】
なお、ローレットネジ８４の代わりに、フィルタセット７１が組み立てられた状態を維持することのできる他の部材が用いられてもよい。
【００８５】
［レール部材］
図１３は、本発明の第２の実施の形態に係る電源装置を、図１０に示す矢印Ｐ２の方向から見た平面図である。図１４は、図１３に示すＸＩＶ−ＸＩＶ線に沿った断面を示す断面図である。すなわち、図１４では、電源装置２０２を前板１４から後板１５への方向に見た場合の断面を示している。
【００８６】
図１３および図１４を参照して、電源装置２０２は、載置部１７の下側に設けられるレール部材５５，５６を備える。レール部材５５，５６は、載置部１７の中央から外部へ向かって昇段するような階段形状を有する。そして、載置部１７、レール部材５５、およびレール部材５６により形成される空間に、フィルタセット７１が挿入される
【００８７】
［押さえ部の誤装着の防止機構］
図１５は、本発明の第２の実施の形態に係るフィルタセットが組み立てられた状態を、図１０の矢印Ｐ３に示す方向から見た下面図である。
【００８８】
図１５を参照して、ケース部９１は、自己の長手方向の両端において、それぞれ、ツメ部９１ｃを有する。押さえ部８３がケース部９１に対して正しい位置で収容された場合、ケース部９１におけるツメ部９１ｃが、押さえ部８３におけるツメ部８３ｄの下側に係合する。
【００８９】
この場合、板部材８２における孔９２ａと、押さえ部８３における孔８３ｃとの位置が一致するため、作業者は、孔９２ａおよび孔８３ｃにローレットネジ８４を挿入することができる。
【００９０】
図１６は、図１５に示すケース部に対する押さえ部の位置が正しくない状態の例１を示す下面図である。
【００９１】
図１６を参照して、たとえば、押さえ部８３がケース部９１における突出部９５に当接するまで挿入されていない場合、押さえ部８３におけるツメ部８３ｄと、ケース部９１におけるツメ部９１ｃとが係合しない。この場合、板部材８２における孔９２ａと、押さえ部８３における孔８３ｃとの位置が一致せず、ローレットネジ８４を挿入することができない。
【００９２】
これにより、作業者は、ケース部９１に対する押さえ部８３の位置が正しくないことを把握することができ、押さえ部８３の誤装着を防止することができる。
【００９３】
図１７は、図１５に示すケース部に対する押さえ部の位置が正しくない状態の例２を示す下面図である。
【００９４】
図１７を参照して、たとえば、押さえ部８３をケース部９１における突出部９５に当接するまで挿入した状態において、ケース部９１におけるツメ部９１ｃが押さえ部８３におけるツメ部８３ｄの上側に係合しているとする。
【００９５】
この場合、板部材８２の主表面に対して押さえ部８３の主表面が斜めになり、板部材８２における孔９２ａと、押さえ部８３における孔８３ｃとの位置がわずかにずれるため、ローレットネジ８４を挿入することができない。これにより、作業者は、ケース部９１に対する押さえ部８３の位置が正しくないことを把握することができ、押さえ部８３の誤装着を防止することができる。
【００９６】
なお、本発明の第２の実施の形態では、２つのケース部９１が共通の部材により形成されているが、電源装置２０２は、このような構成に限定されない。たとえば、電源装置２０２では、２つの押さえ部８３が共通の部材により形成されてもよい。
【００９７】
その他の構成は第１の実施の形態と同様であるため、ここでは詳細な説明を繰り返さない。
【００９８】
このように、本発明の第２の実施の形態に係る電源装置２０２では、フィルタセット７１は、エアフィルタ８１、ケース部９１および押さえ部８３の組を２組含む。そして、各組の各々のケース部９１、および各組の各々の押さえ部８３のうちの少なくともいずれか一方は、共通の部材である。
【００９９】
このような構成により、フィルタセット７１の部品点数を少なくすることができるため、エアフィルタ８１の取り付けおよび取り外しを、より一層容易に行うことができる。
【０１００】
なお、本発明の第１および第２の実施の形態に係る電源装置２０１，２０２の各々の一部を適宜組み合わせることも可能である。
【０１０１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１０２】
以上の説明は、以下に付記する特徴を含む。
【０１０３】
［付記１］
筐体と、
前記筐体の内部に設けられるフィルタセットとを備える電源装置であって、
前記フィルタセットは、
前記筐体内における空気の流路に設けられるフィルタと、
前記フィルタを挟んで固定する２つの板部材とを含み、
前記電源装置は、さらに、
前記フィルタセットを、前記筐体の開口部から前記筐体の内部へガイドして保持するためのレール部材を備え、
前記レール部材は、前記筐体の内部に設けられ、
前記２つの板部材は、
ケース部と、
押さえ部とを有し、
前記ケース部は、端部が下方向へ突出し、かつ前記フィルタおよび前記押さえ部の上側を蓋するように設けられ、
前記ケース部および前記押さえ部は、それぞれ、格子状に設けられる複数の板部を有し、
前記ケース部における前記板部、および前記押さえ部における前記板部は、前記フィルタセットが組み立てられた状態において互いに重ならない位置に設けられ、
前記ケース部および前記押さえ部は、それぞれ、ローレットネジを挿入可能な孔が形成され、
前記ケース部に対する前記押さえ部の位置が正しい場合、前記ケース部における前記孔および前記押さえ部における前記孔の位置が一致する、電源装置。
【符号の説明】
【０１０４】
１０，１１０  筐体
１１，１１１  天板
１２，１３，１１２，１１３  側板
１４，１１４  前板
１４ａ，１１４ａ  パネル上部
１４ｂ，１１４ｂ  パネル下部
１５，１１５  後板
１６，１１６  床板
１７  載置部
１８  支持部材
１９，１１９  開口部
２１，２２  通気口
３０，７１，１３０  フィルタセット
３１，３２，１３１，１３２  フィルタ部
４１，１４１  エアフィルタ
４２  ケース部（板部材）
４３  押さえ部（板部材）
４３ａ  板部
４３ｂ  つまみ部
４７，４８  突出部
４７ａ  凹部
４８ａ  凸部
５１，５２，５３，５４，５５，５６  レール部材
５１ａ  付勢部
８１  エアフィルタ
８２  板部材
８３  押さえ部（第２の板部材）
８３ａ  板部
８３ｂ  凸部
８３ｃ  孔
８３ｄ  ツメ部
８４  ローレットネジ
９１  ケース部（第１の板部材）
９１ａ  板部
９１ｃ  ツメ部
９２  連結部
９２ａ  孔
９２ｂ  つまみ部
１４２  ローレットネジ
１４３  フィルタ枠
１４４  装着部
１４４ａ  板部
１４５  固定部
１４５ａ  孔
２０１，２０２，３０１  電源装置
【図１】
2019003865.tif 000003
【図２】
2019003865.tif 000004
【図３】
2019003865.tif 000005
【図４】
2019003865.tif 000006
【図５】
2019003865.tif 000007
【図６】
2019003865.tif 000008
【図７】
2019003865.tif 000009
【図８】
2019003865.tif 000010
【図９】
2019003865.tif 000011
【図１０】
2019003865.tif 000012
【図１１】
2019003865.tif 000013
【図１２】
2019003865.tif 000014
【図１３】
2019003865.tif 000015
【図１４】
2019003865.tif 000016
【図１５】
2019003865.tif 000017
【図１６】
2019003865.tif 000018
【図１７】
2019003865.tif 000019